(57)【特許請求の範囲】
【請求項１】
カウンターに形成したシンク用開口の周縁部裏面に、開口面部から底部に至るに従って溝幅を拡開した蟻溝を形成すると共に、該蟻溝に嵌合する拡開頭部を、嵌合先端部から嵌合終端部に至るに従って幅広に形成して成る取付用ブロック体を蟻溝の開口端面から嵌合して取付用凸部を突設し、該取付用凸部を構成する取付用ブロック体の底面部に、シンクのフランジ部先端をＬ字状に垂下させて連設した取付片を当接し、ビスよりなる止具を介して着脱自在に取り付けて成ることを特徴とするシンクの取付構造。
【請求項２】
カウンターに形成したシンク用開口の周縁部裏面に取付用凸部を突設し、該取付用凸部のシンク用開口側側面部を、基部から先端部に至るに従ってシンク用開口側に突出傾斜させると共に、該取付用凸部のシンク用開口側側面部に、シンクのフランジ部先端を垂下させて連設した取付片を当接し、ボルト・ナットよりなる止具を介して着脱自在に取り付けて成ることを特徴とするシンクの取付構造。
【発明の詳細な説明】
【０００１】
【発明の属する技術分野】
この出願の発明は、シンクの取付構造に関するものである。さらに詳しくは、この出願の発明は、カウンターからシンクを容易に取り外して交換することができると共に、位置決めや密着度を向上させて交換することができるシンクの取付構造に関するものである。
【０００２】
【従来の技術】
従来、システムキッチン、洗面化粧台等の住宅設備機器のカウンターにシンクが取り付けられており、カウンターにシンクを取り付ける場合には、例えば、図１２〜図１４に例示したように、カウンター（１）に形成したシンク用開口（２）の周縁部裏面の全周にわたって、ブチルゴム等よりなるパッキン材（３）を介して、シンク（４）の周縁部全周に形成したフランジ部（５）を当接すると共に、該当接部の外周面部の対向する外側面部（または全外側面部）にウレタン樹脂（６）を付着させて固定することによって、カウンター（１）にシンク（４）を取り付けていた。
【０００３】
【発明が解決しようとする課題】
しかしながら、上記従来のシンクの取付構造においては、カウンター（１）に対してシンク（４）をウレタン樹脂（６）にて固定化して取り付けているため、長期間の使用に際して、損傷、リフォーム等のためにシンク（４）を交換したい場合に、カウンター（１）からシンク（４）を取り外して交換することができないという問題があった。
【０００４】
この出願の発明は、以上の通りの事情に鑑みてなされたものであり、カウンターからシンクを容易に取り外して交換することができると共に、位置決めや密着度を向上させて交換することができるシンクの取付構造を提供することを目的としている。
【０００５】
【課題を解決するための手段】
この出願の発明は、上記の課題を解決するためになされたものであって、第１の発明は、カウンターに形成したシンク用開口の周縁部裏面に、開口面部から底部に至るに従って溝幅を拡開した蟻溝を形成すると共に、該蟻溝に嵌合する拡開頭部を、嵌合先端部から嵌合終端部に至るに従って幅広に形成して成る取付用ブロック体を蟻溝の開口端面から嵌合して取付用凸部を突設し、該取付用凸部を構成する取付用ブロック体の底面部に、シンクのフランジ部先端をＬ字状に垂下させて連設した取付片を当接し、ビスよりなる止具を介して着脱自在に取り付けて成ることを特徴とするシンクの取付構造を提供する。
【０００６】
また、第２の発明は、カウンターに形成したシンク用開口の周縁部裏面に取付用凸部を突設し、該取付用凸部のシンク用開口側側面部を、基部から先端部に至るに従ってシンク用開口側に突出傾斜させると共に、該取付用凸部のシンク用開口側側面部に、シンクのフランジ部先端を垂下させて連設した取付片を当接し、ボルト・ナットよりなる止具を介して着脱自在に取り付けて成ることを特徴とするシンクの取付構造を提供する。
【０００７】
【発明の実施の形態】
この出願の発明は、上記の通りの特徴を有するものであるが、以下、その実施の形態について説明する。
【０００８】
図１は、この出願の発明の参考例を例示した要部縦断面図である。
この出願の発明の参考例は、例えば、図１に例示したように、住宅設備機器のカウンター（１）の所望の位置に形成したシンク用開口（２）の周縁部裏面の対向する側縁部近傍（または全周縁部近傍）の全長にわたって、シンク（４）を取り付ける角形桟木状、角形リブ状等の取付用凸部（７）を突設し、該取付用凸部（７）に、シンク（４）の周縁部全周に外側方に向かって突出形成したフランジ部（５）に連設した取付片（８）を、角形ビス、ビス、ボルト・ナット等よりなる止具（９）を介して着脱自在に取り付けて成るシンクの取付構造に関するものである。
【０００９】
なお、この出願の発明の参考例において、カウンター（１）に形成したシンク用開口（２）の周縁部裏面に取付用凸部（７）を突設する場合には、例えば、図１に例示したように、カウンター（１）原板の裏面に、樹脂（ＡＢＳ樹脂、ポリプロピレン樹脂、その他）、金属（アルミニウム、その他）、木材（ラワン材、その他）、人造大理石等よりなる高さ（厚さ）３０ｍｍ程度の角形桟木、角形リブ材等を接着したり、ビス止めしたりして突設したり、カウンター（１）原板を成形する時に、該カウンター（１）原板と共に取付用凸部（７）を一体成形して突設したりすれば良い。
【００１０】
図２は、この出願の発明の異った参考例を例示した要部平面図、図３は、図２のＢ−Ｂ拡大縦断面図である。
この出願の発明の異った参考例において、カウンター（１）のシンク用開口（２）の周縁部裏面に突設した取付用凸部（７）に、シンク（４）のフランジ部（５）に連設した取付片（８）を、止具（９）を介して取り付ける場合には、例えば、図２および図３に例示したように、カウンター（１）のシンク用開口（２）の周縁部裏面の対向する側縁部に突設した取付用凸部（７）に、シンク（４）のフランジ部（５）に連設した取付片（８）を取り付けたり、カウンター（１）のシンク用開口（２）の周縁部裏面の全周縁部に突設した取付用凸部（７）に、シンク（４）のフランジ部（５）に連設した取付片（８）を取り付けたりすれば良い。
【００１１】
以上の通り、この出願の発明の参考例においては、カウンター（１）裏面に突設した取付用凸部（７）に取り付けたシンク（４）の取付片（８）を止具（９）を介して取り外したり、取り換えたりするだけで、カウンター（１）からシンク（４）を容易に取り外して交換することができる。
【００１２】
また、上記この出願の発明の参考例において、カウンター（１）裏面に突設した取付用凸部（７）に、シンク（４）のフランジ部（５）に連設した取付片（８）を、止具（９）を介して着脱自在に取り付ける場合に、例えば、図１および図３に例示したように、カウンター（１）裏面に突設した取付用凸部（７）のシンク用開口（２）側側面部に、シンク（４）のフランジ部（５）先端を下方に延長して垂下させて連設した取付片（８）を当接し、取付片（８）および取付用凸部（７）に穿設したビス孔（図示せず）に、六角ビス等の角形ビス（９１）よりなる止具（９）をレンチ等で回動してネジ込んで取り付けると、ドライバーでネジ込みができない挾小取付スペースにおいても止具（９）を円滑に回動してシンク（４）を取り外したり、取り換えたりすることができ、さらに、シンク（４）の加工量を最少限度にして取付片（８）を連設することができる。
【００１３】
図４は、この出願の発明の前提構成を例示した要部縦断面図、図５は、図４の要部拡大分解縦断面図、図６は、図４の要部拡大分解斜視図である。
この出願の発明の前提構成は、前記図１〜図３に例示した参考例において、例えば、図４〜図６に例示したように、カウンター（１）のシンク用開口（２）の周縁部裏面の対向する側縁部全長にわたって、開口面部（表面開口部）から底部に至るに従って溝幅を拡開した断面台形状の蟻溝（１０）を形成すると共に、該蟻溝（１０）に嵌合する拡開頭部（１１）を有する、樹脂（ＡＢＳ樹脂、ポリプロピレン樹脂、その他）、金属（アルミニウム、その他）、木材（ラワン材、その他）、人造大理石等よりなる角形桟木状、角形リブ状等の取付用ブロック体（１２）を、矢印（Ｘ）にて示すように蟻溝（１０）の開口端面から蟻溝（１０）内にスライドさせて嵌合して接着することによって、取付用凸部（７）を突設し、該取付用凸部（７）を構成する取付用ブロック体（１２）の底面部に、シンク（４）のフランジ部（５）先端を、下方および外側方に順次延長してＬ字状に垂下させて連設した取付片（８）を当接し、取付片（８）および取付用ブロック体（１２）に穿設したビス孔（図示せず）に、ビス（９２）よりなる止具（９）を、矢印（Ｙ）にて示すようにドライバーでネジ込んで取り付けて成るシンクの取付構造に関するものである。
【００１４】
なお、この出願の発明の前提構成において、カウンター（１）のシンク用開口（２）の周縁部裏面に、蟻溝（１０）を形成する場合には、例えば、カウンター（１）原板を成形する時に、蟻溝（１０）を同時成形して形成したり、カウンター（１）原板を成形した後、後加工により蟻溝（１０）を切削して形成したりすれば良い。
【００１５】
また、蟻溝（１０）に嵌合する取付用ブロック体（１２）としては、例えば、図６に例示したような小ブロック片よりなる取付用ブロック体（１２）を使用したり、蟻溝（１２）の全長にわたって嵌合する長尺ブロック体よりなる取付用ブロック体（１２）を使用したりすれば良い。
【００１６】
以上の通り、この出願の発明の前提構成においては、カウンター（１）裏面に形成した蟻溝（１０）に嵌合した取付用ブロック体（１２）に取り付けたシンク（４）の取付片（８）をビス（９２）を介して取り外したり、取り換えたりするだけで、カウンター（１）からシンク（４）を容易に取り外して交換することができる。
【００１７】
図７は、この出願の発明の実施例を例示した要部拡大分解斜視図である。
この出願の第１の発明は、上記図４〜図６に例示した発明の前提構成において、例えば、図７に例示したように、取付用ブロック体（１２）の拡開頭部（１１）の幅寸法を、嵌合先端部（１３）から嵌合終端部（１４）に至るに従って幅広に形成して成るシンクの取付構造に関するものであり、かかる取付用ブロック体（１２）を使用すると、取付用ブロック体（１２）を、矢印（Ｘ）にて示すように蟻溝（１０）に嵌合する時に、取付用ブロック体（１２）の拡開頭部（１１）の嵌合終端部（１４）を蟻溝（１０）に強制的に嵌合することによって、位置決めすることができる。
【００１８】
図８は、この出願の発明の異った前提構成を例示した要部縦断面図、図９は、図８の要部拡大分解縦断面図、図１０は、図８の要部拡大分解斜視図である。
この出願の発明の異った前提構成は、前記図１〜図３に例示した参考例において、例えば、図８〜図１０に例示したように、カウンター（１）裏面に突設した取付用凸部（７）のシンク用開口（２）側側面部に、シンク（４）のフランジ部（５）先端を垂下させて連設した取付片（８）を当接し、取付片（８）および取付用凸部（７）に穿設したボルト孔（１５）に、矢印（Ｚ）にて示すようにボルト（９３）を貫挿し、ナット（９４）にて締着することによって、ボルト（９３）・ナット（９４）よりなる止具（９）を介して着脱自在に取り付けて成るシンクの取付構造に関するものである。
【００１９】
なお、この出願の発明の異った前提構成においては、取付用凸部（７）を突設するに際して、図８〜図１０に例示したように、カウンター（１）原板を成形する時に、該カウンター（１）原板と共に取付用凸部（７）を一体成形して突設した実施例を例示したが、前記図１および図３に例示したように、カウンター（１）原板の裏面に角形桟木、角形リブ材等を接着したり、ビス止めしたりして取付用凸部（７）を突設しても良いことはもちろんである。
【００２０】
以上の通り、この出願の発明の異った前提構成においては、カウンター（１）裏面に突設した取付用凸部（７）に取り付けたシンク（４）の取付片（８）をボルト（９３）・ナット（９４）を介して取り外したり、取り換えたりするだけで、カウンター（１）からシンク（４）を容易に取り外して交換することができる。
【００２１】
図１１は、この出願の発明の異った実施例を例示した要部拡大分解縦断面図である。
この出願の第２の発明は、上記図８〜図１０に例示した発明の異った前提構成において、例えば、図１１に例示したように、カウンター（１）裏面に突設した取付用凸部（７）を、基部から先端部（下端部）に至るに従ってシンク用開口（２）側に突出させた傾斜凸部（７１）を形成することによって、取付用凸部（７）のシンク用開口（２）側側面部を、基部から先端部に至るに従ってシンク用開口（２）側に突出傾斜させて成るシンクの取付構造に関するものである。
【００２２】
なお、この出願の第２の発明において、取付用凸部（７）のシンク用開口（２）側側面部を、上記のようにシンク用開口（２）側に突出傾斜させる場合には、例えば、図１１に例示したように、取付用凸部（７）全体を突出傾斜させた傾斜凸部（７１）によって突出傾斜させる代りに、取付用凸部（７）のシンク用開口（２）側側面部のみを突出傾斜させた台形状凸部（図示せず）によって突出傾斜させても良い。
【００２３】
以上の通り、この出願の第２の発明においては、カウンター（１）裏面に突設した取付用凸部（７）のシンク用開口（２）側側面部を、基部から先端部に至るに従ってシンク用開口（２）側に突出傾斜させているので、図１１に例示したように、取付用凸部（７）のシンク用開口（２）側側面部に、シンク（４）のフランジ部（５）に連設した取付片（８）を当接し、上記図８〜図１０と同様にして、ボルト（９３）・ナット（９４）よりなる止具（９）を介して締着して取り付ける場合に、取付片（８）に矢印（Ｍ）にて示すように上向きの力が働いて変形してシンク用開口（２）側側面部に強固に密着するため、シンク用開口（２）側側面部と取付片（８）との密着度を向上させることができる。
【００２４】
なお、図１、図３、図４、図５、図８、図９、図１１において、（３）は、従来と同様のパッキン材である。
もちろん、この出願の発明は、以上の実施形態によって限定されるものではなく、取付用凸部、取付片、蟻溝、取付用ブロック体等の形状、構造等、詳細については、様々な態様が可能であることは云うまでもない。
【００２５】
【発明の効果】
以上詳しく説明した通り、この出願の発明によって、カウンターからシンクを容易に取り外して交換することができると共に、位置決めや密着度を向上させて交換することができる。
【図面の簡単な説明】
【図１】  この出願の発明の参考例を例示した要部縦断面図である。
【図２】  この出願の発明の異った参考例を例示した要部平面図である。
【図３】  図２のＢ−Ｂ拡大縦断面図である。
【図４】  この出願の発明の前提構成を例示した要部縦断面図である。
【図５】  図４の要部拡大分解縦断面図である。
【図６】  図４の要部拡大分解斜視図である。
【図７】  この出願の発明の実施例を例示した要部拡大分解斜視図である。
【図８】  この出願の発明の異った前提構成を例示した要部縦断面図である。
【図９】  図８の要部拡大分解縦断面図である。
【図１０】  図８の要部拡大分解斜視図である。
【図１１】  この出願の発明の異った実施例を例示した要部拡大分解縦断面図である。
【図１２】  従来例を例示した平面図である。
【図１３】  図１２のＡ−Ａ拡大縦断面図である。
【図１４】  図１２のＢ−Ｂ拡大縦断面図である。
【符号の説明】
１  カウンター
２  シンク用開口
３  パッキン材
４  シンク
５  フランジ部
６  ウレタン樹脂
７  取付用凸部
７１  傾斜凸部
８  取付片
９  止具
９１  角形ビス
９２  ビス
９３  ボルト
９４  ナット
１０  蟻溝
１１  拡開頭部
１２  取付用ブロック体
１３  嵌合先端部
１４  嵌合終端部
１５  ボルト孔
【図１】
0003714193.tif 000002
【図２】
0003714193.tif 000003
【図３】
0003714193.tif 000004
【図４】
0003714193.tif 000005
【図５】
0003714193.tif 000006
【図６】
0003714193.tif 000007
【図７】
0003714193.tif 000008
【図８】
0003714193.tif 000009
【図９】
0003714193.tif 000010
【図１０】
0003714193.tif 000011
【図１１】
0003714193.tif 000012
【図１２】
0003714193.tif 000013
【図１３】
0003714193.tif 000014
【図１４】
0003714193.tif 000015